(57)【要約】【課題】小型なコネクタであっても、そのコネクタ内に容易に配置することができるＥＭＩコアと同等の電磁波遮蔽手段を備えた、特にコンデンサマイクロホンに好適な電気機器用コネクタを提供する。【解決手段】円筒状のコネクタハウジング１０と、コネクタ要素２０と、接続ケーブル３０とを含み、コネクタハウジング１０の一端側でコネクタ要素２０が支持され、接続ケーブル３０がコネクタハウジング１０の他端側のケーブル挿通部１０ｂからコネクタハウジング１０内に引き込まれてコネクタ要素２０に電気的に接続される電気機器用コネクタにおいて、コネクタハウジング１０内におけるコネクタ要素２０とケーブル挿通部１０ｂとの間の余剰空間内に、磁性流体６２と、その磁性流体６２を磁気的に引き寄せる永久磁石６１とを収納する。【選択図】図４
2009259560.tif 000002
【特許請求の範囲】
【請求項１】
円筒状のコネクタハウジングと、コネクタ要素と、接続ケーブルとを含み、上記コネクタハウジングの一端側で上記コネクタ要素が支持され、上記接続ケーブルが上記コネクタハウジングの他端側のケーブル挿通部から上記コネクタハウジング内に引き込まれて上記コネクタ要素に電気的に接続される電気機器用コネクタにおいて、
上記コネクタハウジング内における上記コネクタ要素と上記ケーブル挿通部との間の余剰空間内に、磁性流体と、上記磁性流体を磁気的に引き寄せる永久磁石とが収納されていることを特徴とする電気機器用コネクタ。
【請求項２】
上記永久磁石は、上記接続ケーブルが挿通可能なリング状に形成され、上記接続ケーブルに挿通された状態で所定の固定手段を介して上記接続ケーブルの周りに固定されていることを特徴とする請求項１に記載の電気機器用コネクタ。
【請求項３】
上記コネクタハウジングには、上記余剰空間内に上記磁性流体を注入する注入孔が形成されていることを特徴とする請求項１または２に記載の電気機器用コネクタ。
【請求項４】
請求項１ないし３のいずれか１項に記載の電気機器用コネクタを備えたコンデンサマイクロホン。
【請求項５】
円筒状のコネクタハウジングと、コネクタ要素と、接続ケーブルとを含み、上記コネクタハウジングの一端側で上記コネクタ要素が支持され、上記接続ケーブルが上記コネクタハウジングの他端側のケーブル挿通部から上記コネクタハウジング内に引き込まれて上記コネクタ要素に電気的に接続される電気機器用コネクタの製造方法において、
上記接続ケーブルの上記コネクタ要素と接続される一端側にリング状に形成された永久磁石を取り付け、上記接続ケーブルの一端側を上記永久磁石とともに上記コネクタハウジング内に配置したのち、上記コネクタ要素と上記ケーブル挿通部との間の余剰空間内に磁性流体を注入することを特徴とする電気機器用コネクタの製造方法。
【発明の詳細な説明】
【技術分野】
【０００１】
本発明は、電気機器用コネクタおよびその製造方法とコンデンサマイクロホンに関し、さらに詳しくいえば、携帯電話機等から放射される電磁波遮蔽手段を備えた電気機器用コネクタに関するものである。
【背景技術】
【０００２】
ワイヤレスマイクロホン以外のマイクロホンは、接続ケーブル（マイクケーブル）を介して音声再生機器側と接続されて使用される。コンデンサマイクロホンの場合は、通常、マイクケーブルを介してファントム電源に接続される。マイクケーブルには、平衡２芯シールド被覆線が用いられる。
【０００３】
コンデンサマイクロホンにマイクケーブル（平衡２芯シールド被覆線）を接続するため、コンデンサマイクロホンには、ＥＩＡＪ  ＲＣ−５２３６「音響機器用ラッチロック式丸型コネクタ」に規定されている３ピンタイプの出力コネクタが設けられている。
【０００４】
ところで、外来電磁波が存在する環境下でコンデンサマイクロホンを使用する場合、その電磁波に起因する高周波電流がマイクケーブルおよび出力コネクタを伝わってマイクケース内に入り込み、マイクケース内に配置されているＦＥＴ（電界効果トランジスタ）からなるインピーダンス変換器によって検波され、可聴周波数のレベルの雑音が発生することがある。
【０００５】
近年、携帯電話機の急速な普及にともない、マイクロホンの近傍で携帯電話機が使用される機会が多くなってきている。携帯電話からはかなり強い電磁波（例えば、数ｃｍ〜数１０ｃｍ程度の範囲内では商用電波により市中で生じている電界強度の数万倍に達する電界強度）が放射される。そのため、マイクロホンの分野では携帯電話機から放射される電磁波による雑音対策が急務とされている。
【０００６】
この種の雑音対策として、ＥＭＩコアを用いる方法が知られている。ＥＭＩコアがリング状である場合には、そのＥＭＩコアにマイクケーブルの一部分を数ターン巻き付けて使用する。
【０００７】
また、例えば角柱状のＥＭＩコアを半割状として、マイクケーブルの一部分に挟み込むようにして取り付けられるクランプ式のものもあるが、いずれにしても、ＥＭＩコアのサイズが大きいため、外観上、ＥＭＩコアをマイクケーブルに取り付けることは好ましくない。
【０００８】
これとは別に、特許文献１に記載されているように、コネクタ内の信号線にフェライトビーズを取り付ける方法もあるが、コネクタが小型で内部空間に余裕がない場合には、フェライトビーズをコネクタ内に持ち込むことができない、という問題がある。
【０００９】
【特許文献１】特開平１０−２０８８１８号公報
【発明の開示】
【発明が解決しようとする課題】
【００１０】
したがって、本発明の課題は、小型なコネクタであっても、そのコネクタ内に容易に配置することができるＥＭＩコアと同等の電磁波遮蔽手段を備えた、特にコンデンサマイクロホンに好適な電気機器用コネクタを提供することにある。
【課題を解決するための手段】
【００１１】
上記課題を解決するため、本発明は、円筒状のコネクタハウジングと、コネクタ要素と、接続ケーブルとを含み、上記コネクタハウジングの一端側で上記コネクタ要素が支持され、上記接続ケーブルが上記コネクタハウジングの他端側のケーブル挿通部から上記コネクタハウジング内に引き込まれて上記コネクタ要素に電気的に接続される電気機器用コネクタにおいて、上記コネクタハウジング内における上記コネクタ要素と上記ケーブル挿通部との間の余剰空間内に、磁性流体と、上記磁性流体を磁気的に引き寄せる永久磁石とが収納されていることを特徴としている。
【００１２】
本発明の好ましい態様によれば、上記永久磁石は、上記接続ケーブルが挿通可能なリング状に形成され、上記接続ケーブルに挿通された状態で所定の固定手段を介して上記接続ケーブルの周りに固定される。
【００１３】
また、上記コネクタハウジングには、上記余剰空間内に上記磁性流体を注入する注入孔が形成される。
【００１４】
本発明には、上記電気機器用コネクタを備えたコンデンサマイクロホンも含まれる。
【００１５】
また、本発明には、上記電気機器用コネクタの製造方法も含まれる。すなわち、本発明の電気機器用コネクタの製造方法は、上記接続ケーブルの上記コネクタ要素と接続される一端側にリング状に形成された永久磁石を取り付け、上記接続ケーブルの一端側を上記永久磁石とともに上記コネクタハウジング内に配置したのち、上記コネクタ要素と上記ケーブル挿通部との間の余剰空間内に磁性流体を注入することを特徴としている。
【発明の効果】
【００１６】
本発明によれば、電磁波遮蔽手段として磁性流体を用いることにより、小型なコネクタであっても、そのコネクタ内に電磁波遮蔽手段を容易に設けることができる。また、磁性流体は永久磁石により引き寄せられるため、コネクタから漏出するおそれもなく、永年にわたって使用することができる。
【発明を実施するための最良の形態】
【００１７】
次に、図１ないし図４により、本発明の実施形態について説明するが、本発明はこれに限定されるものではない。図１は本発明の電気機器用コネクタを分解して示す断面図、図２はその組立時の第１工程での組立状態を示す断面図、図３は第２工程での組立状態を示す断面図、図４は第３工程（最終工程）での組立状態を示す断面図である。
【００１８】
この実施形態に係る電気機器用コネクタは、コンデンサマイクロホン用であるため、以下の説明ではマイクロホンコネクタと言う。このマイクロホンコネクタの相手方は、図示しないコンデンサマイクロホン側に設けられる上記した３ピンタイプの出力コネクタであり、その出力コネクタをソケット側（雌側）とすれば、このマイクロホンコネクタはプラグ側（雄側）に相当する。なお、以下の説明から分かるように、本発明は、ソケット側に適用することもできる。
【００１９】
図１に示すように、このマイクロホンコネクタ１には、基本的な構成として、コネクタハウジング１０と、コネクタ要素としてのプラグ２０と、マイクケーブル３０とが含まれている。
【００２０】
コネクタハウジング１０は円筒状であって、好ましくは例えば黄銅合金などの金属材からなる。コネクタハウジング１０の一端１０ａにはプラグ２０が配置され、その他端側のケーブル挿通部１０ｂからマイクケーブル３０の一端がコネクタハウジング１０内に引き込まれる。
【００２１】
ケーブル挿通部１０ｂには、通常よく用いられているゴム弾性体からなるケーブルブッシュ１２が嵌合されてよい。本発明において、コネクタハウジング１０の周壁には、コネクタハウジング１０内に後述する磁性流体を注入する開口１１が穿設されている。
【００２２】
コンデンサマイクロホンがファントム電源（ともに図示しない）と接続されることから、マイクケーブル３０には、平衡２芯シールド被覆線が用いられる。すなわち、マイクケーブル３０は、信号のホット側芯線３１，信号のコールド側芯線３２およびシールド被覆線３３を備えている。
【００２３】
プラグ２０内には、図示しない３つのコンタクト端子が埋設されており、ホット側芯線３１，信号のコールド側芯線３２およびシールド被覆線３３は、それぞれ対応するコンタクト端子に接続される。
【００２４】
マイクケーブル３０のプラグ２０に接続される側の一端側からは外皮が除去されてシールド被覆線３３がむき出しとされ、そのむき出された部分のシールド被覆線３３が反対側に向けて外皮上折り返される。本明細書において、この外皮上折り返された部分をシールド被覆線露出部３３ａと言う。
【００２５】
この実施形態において、マイクケーブル３０の一端側には、プラグ２０に対するカプラー２１が装着される。また、マイクケーブル３０のコネクタハウジング１０内に引き込まれる部分には、例えばアルミニウム材からなるシールドカップ４０が挿通される。
【００２６】
シールドカップ４０は、カプラー２１に嵌合される大径円筒部４１と、シールド被覆線露出部３３ａが挿通される小径円筒部４２とを備えている。小径円筒部４２は、かしめによりシールド被覆線露出部３３ａに固定される。また、小径円筒部４２の外周側には、リング状に形成された永久磁石６１が嵌合される。
【００２７】
プラグ２０には、プラグカバー５０が取り付けられる。プラグカバー５０は、プラグ２０の外径とほぼ同径の内径を有する円筒状であって、その後端側（図１において右端側）は、コネクタハウジング１０の一端１０ａ内に嵌合する。
【００２８】
また、プラグカバー５０には、図示しないマイクケース側の係止孔に係止する係止爪５１と、その係止を解除するための操作ノブ５２とが設けられている。係止爪５１と操作ノブ５２は、プラグカバー５０内に取り付けられている板バネ５３上に配置されており、板バネ５３によってプラグカバー５０から突出するように付勢されている。
【００２９】
これにより、係止爪５１はラッチロック爪として作用し、操作ノブ５２を押し込むことにより、そのロックが解除される。
【００３０】
次に、このマイクロホンコネクタ１の組立方の一例について説明する。図１に示すように、コネクタハウジング１０内にマイクケーブル３０を挿通して、その一端側の外皮を除去してシールド被覆線３３をむき出しとし、そのむき出された部分を外皮上に折り返してシールド被覆線露出部３３ａを形成する。
【００３１】
マイクケーブル３０に、シールドカップ４０を挿通するとともに、カプラー２１を装着する。なお、シールドカップ４０の小径円筒部４２には、あらかじめ永久磁石６１を取り付けておく。永久磁石６１は移動しないように接着材等で固定することが好ましい。そして、マイクケーブル３０の信号線３１，３２とシールド被覆線３３をプラグ２０内の対応するコンタクト端子にそれぞれ接続する。
【００３２】
次に、図２に示すように、カプラー２１をプラグ２０に連結して、シールドカップ４０の大径円筒部４１をカプラー２１の外周に嵌合し、小径円筒部４２をかしめてシールド被覆線露出部３３ａにシールドカップ４０を機械的・電気的に接続する。
【００３３】
次に、図３に示すように、シールドカップ４０の大径円筒部４１をコネクタハウジング１０の一端１０ａ側に嵌合してプラグ２０をコネクタハウジング１０に取り付けたのち、プラグ２０にプラグカバー５０を被せて、プラグカバー５０の後端側をコネクタハウジング１０の一端１０ａ内に差し込む。
【００３４】
これにより、外形的にマイクロホンコネクタ１が組み立てられるが、本発明では、図４に示すように、コネクタハウジング１０の開口１１から注入ノズル７０を用いて、コネクタハウジング１０内の余剰空間Ｓ（この例では、シールドカップ４０の小径円筒部４２の周りに存在している空間）内に磁性流体６２を注入する。
【００３５】
注入された磁性流体６２は永久磁石により磁気的に引き寄せられるため、開口１１から漏出せず、コネクタハウジング１０に留まる。したがって、マイクケーブル３０が携帯電話機等から放射される強い電磁波に晒されたとしても、その電磁波に起因する高周波電流の流れがコネクタハウジング１０内の磁性流体６２によって阻止される。このように、磁性流体６２はＥＭＩコアと同様に高周波電流阻止作用を発揮する。
【００３６】
なお、磁性流体２３には、一例として、直径が１０ｎｍ程度の磁性超微粒子と、主成分である水と、有機溶剤または油等の液体(分散媒)と、その粒子に吸着して粒子を液体中（分散媒）に安定に分散させるための界面活性剤とのコロイド溶液を用いることができる。
【００３７】
この種の磁性流体は、磁界が与えられないと液状を呈し、永久磁石等の磁界を作用させると磁性流体は磁化して固形状となり、磁界を遠ざける再び液状に戻る可逆性のある液体である。
【００３８】
本発明によれば、従来のようにマイクケーブルにＥＭＩコアを装着することなく、コネクタ内でコンデンサマイクロホンにとって雑音源となる外部電磁波による高周波電流を阻止することができる。また、磁性材料が流体であることから、コネクタハウジング内の隙間を活用して、コネクタハウジング内にＥＭＩコアと同等の電磁波遮蔽手段を設けることができる。
【００３９】
なお、上記実施形態では、好ましい態様としてシールドカップ４０を用いているが、コネクタハウジング１０内に磁性流体６２を入れるにあたって、シールドカップ４０は必ずしも必要ではない。
【００４０】
シールドカップ４０を用いない態様の場合には、コネクタハウジング１０内におけるプラグ２０とケーブル挿通部１０ｂとの間の余剰空間内に永久磁石６１と磁性流体６２を入れればよい。
【００４１】
また、本発明は、コンデンサマイクロホンに装着される出力コネクタ（ＥＩＡＪ  ＲＣ−５２３６「音響機器用ラッチロック式丸型コネクタ」に規定されている３ピンタイプの出力コネクタ）にも適用することができる。
【図面の簡単な説明】
【００４２】
【図１】本発明の電気機器用コネクタを分解して示す断面図。
【図２】組立時の第１工程での組立状態を示す断面図。
【図３】組立時の第２工程での組立状態を示す断面図。
【図４】組立時の第３工程（最終工程）での組立状態を示す断面図。
【符号の説明】
【００４３】
１  マイクロホンコネクタ
１０  コネクタハウジング
１１  開口
２０  プラグ
３０  マイクケーブル
４０  シールドカップ
５０  プラグカバー
６１  永久磁石
６２  磁性流体
【図１】
2009259560.tif 000003
【図２】
2009259560.tif 000004
【図３】
2009259560.tif 000005
【図４】
2009259560.tif 000006